(57)【要約】【目的】  光源の次段に設けられる光学部材の機能を十分に発揮させることができ、また、光源が出射する光の取り込み効率を向上することができる照明装置及び投写型映像表示装置を提供する。【構成】  照明装置５１における４個のＬＥＤ１１…はその主光線軸をコリメータレンズ１３の光軸に対して傾けて配置されている。そして、各ＬＥＤ１１から出射された光は前記ＬＥＤレンズ１１ａにて集光され、前記コリメータレンズ１３の光入射面と前記光軸とが交わる点を中心とした小領域Ｚに導かれる。コリメータレンズ１３は、前記小領域Ｚから入射された光を平行光化して出射する。コリメータレンズ１３の光出射側にはインテグレータレンズ１４が設けられている。【選択図】        図２
2006267714.tif 000002
【特許請求の範囲】
【請求項１】
光源と、前記光源から出射された光が入射される光入射面及び前記光が出射される光出射面を有した光学部材と、から成る照明装置において、前記光源は固体発光素子から出射された光を集光するか又は分散角が小さくなるように制御する光学素子を備えており、前記光源はその主光線軸を前記光学部材の光軸に対して傾けて配置されていることを特徴とする照明装置。
【請求項２】
請求項１に記載の照明装置において、前記光源からの光は、前記光入射面と前記光軸とが交わる点を中心とした小領域に集光されることを特徴とする照明装置。
【請求項３】
請求項１又は請求項２に記載の照明装置において、前記光学部材の光入射面は、平面、曲面、又は凹凸面であることを特徴とする照明装置。
【請求項４】
請求項１乃至請求項３のいずれかに記載の照明装置において、前記光学部材はレンズであることを特徴とする照明装置。
【請求項５】
請求項４に記載の照明装置において、前記レンズはコリメータレンズであることを特徴とする照明装置。
【請求項６】
請求項１乃至請求項３のいずれかに記載の照明装置において、前記光学部材は受けた光を重畳して出射するロッドインテグレータであることを特徴とする照明装置。
【請求項７】
請求項６に記載の照明装置において、前記ロッドインテグレータは光出射面よりも光入射面が小さいテーパ型のロッドインテグレータであることを特徴とする照明装置。
【請求項８】
請求項１乃至請求項７のいずれかに記載の照明装置において、前記光源を複数有し、各々の光源の主光線軸は互いに非平行に設定されたことを特徴とする照明装置。
【請求項９】
請求項１乃至請求項８のいずれかに記載の照明装置において、前記光源は、所定の色光を出射する色光源であることを特徴とする照明装置。
【請求項１０】
請求項１乃至請求項８のいずれかに記載の照明装置において、前記光源は白色光源であることを特徴とする照明装置。
【請求項１１】
請求項８に記載の照明装置において、複数の光源は異なる色光を出射することを特徴とする照明装置。
【請求項１２】
請求項１１に記載の照明装置において、赤色光を出射する光源と、青色光を出射する光源と、緑色光を出射する光源と、を有したことを特徴とする照明装置。
【請求項１３】
第１色光を出射する請求項９に記載の照明装置と、第２色光を出射する請求項９に記載の照明装置と、第３色光を出射する請求項９に記載の照明装置と、各照明装置からの各色光を略同一方向に導く光学部材と、から成ることを特徴とする照明装置。
【請求項１４】
請求項１３に記載の照明装置において、第１色光は赤色であり、第２色光は青色であり、第３色光は緑色であることを特徴とする照明装置。
【請求項１５】
請求項１２又は請求項１４に記載の照明装置において、照明中は赤色光と青色光と緑色光が常時出射されるように構成されていることを特徴とする照明装置。
【請求項１６】
請求項１２又は請求項１４に記載の照明装置において、照明中は赤色光と青色光と緑色光が時分割で出射されるように構成されていることを特徴とする照明装置。
【請求項１７】
赤色光を出射する請求項９に記載の照明装置と、青色光を出射する請求項９に記載の照明装置と、緑色光を出射する請求項９に記載の照明装置と、各照明装置からの色光をそれぞれ受けるように設けられたライトバルブと、各ライトバルブを経た各色映像光を合成して投写する投写手段と、を備えたことを特徴とする投写型映像表示装置。
【請求項１８】
請求項１０又は請求項１５に記載の照明装置と、一つのフルカラーライトバルブと、前記フルカラーライトバルブを経ることで得られた映像光を投写する投写手段と、を備えたことを特徴とする投写型映像表示装置。
【請求項１９】
請求項１０又は請求項１５に記載の照明装置と、前記照明装置から出射された白色光を赤色光と緑色光と青色光に分離する分離手段と、各色光をそれぞれ受けるように設けられたライトバルブと、各ライトバルブ経た各色映像光を合成して投写する投写手段と、を備えたことを特徴とする投写型映像表示装置。
【請求項２０】
請求項１６に記載の照明装置と、一つのライトバルブと、各色光の出射タイミングに同期して前記ライトバルブに各色用の映像信号を供給する手段と、前記ライトバルブを経ることで得られた映像光を投写する投写手段と、を備えたことを特徴とする投写型映像表示装置。
【発明の詳細な説明】
【技術分野】
【０００１】
この発明は、照明装置及びこの照明装置を用いた投写型映像表示装置に関する。
【背景技術】
【０００２】
従来より、固体発光素子がアレイ状に配置された光源を用いた照明装置が提案されている（特許文献１参照）。
【０００３】
【特許文献１】特開２００４−２２００１５号公報
【発明の開示】
【発明が解決しようとする課題】
【０００４】
ところで、図８に示すように、ＬＥＤがアレイ状に配置された光源１００を用い、この光源１００からの光を光学部材（例えばレンズなど）１０１の光入射面に照射することが考えられる。しかしながら、前記光源１００における各固体発光素子からの出射光を十分に平行光化することは容易でなく、十分に平行光化できなかった場合には次段の光学部材１０１の機能を十分に発揮させることはできない。また、前記光学部材１０１の光入射面が前記光源の発光面よりも小さいと、光の取り込み効率が低下する。
【０００５】
この発明は、上記事情に鑑み、光源の次段に設けられる光学部材の機能を十分に発揮させることができ、また、光源が出射する光の取り込み効率を向上することができる照明装置及びこれを用いた投写型映像表示装置を提供することを目的とする。
【課題を解決するための手段】
【０００６】
この発明の照明装置は、上記の課題を解決するために、光源と、前記光源から出射された光が入射される光入射面及び前記光が出射される光出射面を有した光学部材と、から成る照明装置において、前記光源は固体発光素子から出射された光を集光するか又は分散角が小さくなるように制御する光学素子を備えており、前記光源はその主光線軸を前記光学部材の光軸に対して傾けて配置されていることを特徴とする。
【０００７】
上記の構成であれば、光源はその主光線軸を前記光学部材の光軸に対して傾けて配置されているので、光源が出射する光の取り込み効率を向上することができる。
【０００８】
上記構成の照明装置において、前記光源からの光は、前記光入射面と前記光軸とが交わる点を中心とした小領域に集光されるのがよい。これによれば、光源の次段に設けられる光学部材の機能を十分に発揮させることができる。
【０００９】
これら構成の照明装置において、前記光学部材の光入射面は、平面、曲面、又は凹凸面であってもよい。また、これら構成の照明装置において、前記光学部材はレンズであってもよし、或いは受けた光を重畳して出射するロッドインテグレータであってもよい。前記レンズはコリメータレンズであってもよい。前記ロッドインテグレータは光出射面よりも光入射面が小さいテーパ型のロッドインテグレータであってもよい。
【００１０】
これら構成の照明装置において、前記光源を複数有し、各々の光源の主光線軸は互いに非平行に設定されていてもよい。
【００１１】
これら構成の照明装置において、前記光源は、所定の色光を出射する色光源であってもよい（以下、この項において第１照明装置という）。或いは、これら構成の照明装置において、前記光源は白色光源であってもよい（以下、この項において第２照明装置という）。
【００１２】
また、前記複数の光源を有する照明装置において、前記複数の光源は異なる色光を出射してもよい。かかる構成において、前記複数の光源として、赤色光を出射する光源と、青色光を出射する光源と、緑色光を出射する光源と、を有していてもよい。（以下、この項において第３照明装置という）。
【００１３】
また、この発明の照明装置は、第１色光を出射する第１照明装置と、第２色光を出射する第１照明装置と、第３色光を出射する第１照明装置と、各照明装置からの各色光を略同一方向に導く光学部材と、から成ることを特徴とする。また、かかる構成において、第１色光は赤色であり、第２色光は青色であり、第３色光は緑色であってもよい（以下、この項において第４照明装置という）。
【００１４】
第３照明装置又は第４照明装置において、照明中は赤色光と青色光と緑色光が常時出射されるように構成されていてもよい（以下、この項において、第５照明装置という）。
【００１５】
第３照明装置又は第４照明装置において、照明中は赤色光と青色光と緑色光が時分割で出射されるように構成されていてもよい（以下、この項において第６照明装置という）。
【００１６】
また、この発明の投写型映像表示装置は、赤色光を出射する第１照明装置と、青色光を出射する第２照明装置と、緑色光を出射する第１照明装置と、各照明装置からの色光をそれぞれ受けるように設けられたライトバルブと、各ライトバルブを経た各色映像光を合成して投写する投写手段と、を備えたことを特徴とする。
【００１７】
また、この発明の投写型映像表示装置は、第２照明装置又は第５照明装置と、一つのフルカラーライトバルブと、前記フルカラーライトバルブを経ることで得られた映像光を投写する投写手段と、を備えたことを特徴とする。
【００１８】
また、この発明の投写型映像表示装置は、第２照明装置又は第５照明装置と、前記照明装置から出射された白色光を赤色光と緑色光と青色光に分離する分離手段と、各色光をそれぞれ受けるように設けられたライトバルブと、各ライトバルブ経た各色映像光を合成して投写する投写手段と、を備えたことを特徴とする。
【００１９】
また、この発明の投写型映像表示装置は、第６照明装置と、一つのライトバルブと、各色光の出射タイミングに同期して前記ライトバルブに各色用の映像信号を供給する手段と、前記ライトバルブを経ることで得られた映像光を投写する投写手段と、を備えたことを特徴とする。
【発明の効果】
【００２０】
この発明によれば、光源の次段に設けられる光学部材の機能を十分に発揮させることができ、また、光源が出射する光の取り込み効率を向上することができるという効果を奏する。
【発明を実施するための最良の形態】
【００２１】
以下、この発明の実施例を図１乃至図７に基づいて説明していく。
【００２２】
図１は投写型映像表示装置４Ａの光学系を示した図である。この投写型映像表示装置４Ａは３つの照明装置５１Ｒ，５１Ｇ，５１Ｂを備える（以下、個々の照明装置を特定しないで示すときには、符号”５１”を用いる）。各照明装置５１は、４個のＬＥＤ（発光ダイオード）１１…と、コリメータレンズ１３と、インテグレータレンズ１４と、レンズ１５と、を備えて成る。
【００２３】
各ＬＥＤ１１は、ＬＥＤチップとＬＥＤ基板とヒートシンク（放熱板）とを備えて成る。また、各ＬＥＤ１１は、図２にも示すように、ＬＥＤチップから出射された光を集光するためのレンズ（以下、ＬＥＤレンズという）１１ａを備えている。照明装置５１ＲにおけるＬＥＤ１１は赤色光を出射し、照明装置５１ＧにおけるＬＥＤ１１は緑色光を出射し、照明装置５１ＢにおけるＬＥＤ１１は青色光を出射する。
【００２４】
各照明装置５１における４個のＬＥＤ１１…はその主光線軸をコリメータレンズ１３の光軸（図１及び図２において点線で示している）に対して傾けて配置されている。前記４個のＬＥＤ１１…は、前記光軸の側から見ると、図３に示しているように配置される。そして、各ＬＥＤ１１から出射された光は前記ＬＥＤレンズ１１ａにて集光され、前記コリメータレンズ１３の光入射面（平面）と前記光軸とが交わる点を中心とした小領域Ｚに導かれる。
【００２５】
前記コリメータレンズ１３は、前記小領域Ｚから入射された光を平行光化して出射する。なお、ＬＥＤレンズ１１ａにて集光された入射光の角度をθ1 とし、入射後の広がり角度をθ2 とすると（図２参照）、θ1 ＞θ2 の関係が成り立つ。また、コリメータレンズ１３の屈折率ｎを１．５とすると、θ2 ＜４１．８２°の関係が成り立つ。
【００２６】
前記コリメータレンズ１３の光出射側にはインテグレータレンズ１４が設けられている。インテグレータレンズ１４は、一対のフライアイレンズ１４ａ，１４ｂにて構成されており、個々のレンズ対が前記コリメータレンズ１３から出射された光を液晶表示パネル１の全面へ導くようになっている。すなわち、ＬＥＤチップ１１から出射された光は液晶表示パネル１へインテグレートされて導かれることになるため、液晶表示パネル１に導かれる光の輝度分布に不均一が生じるのを抑制することができる。
【００２７】
図示はしていないが、インテグレータレンズ１４と集光レンズ１５との間に偏光変換装置を設けておいてもよい。この偏光変換装置は、偏光ビームスプリッタアレイ（以下、ＰＢＳアレイと称する）によって構成される。ＰＢＳアレイは、偏光分離膜と位相差板（１／２λ板）とを備える。ＰＢＳアレイの各偏光分離膜は、フライアイレンズ対１３からの光のうち例えばＰ偏光を通過させ、Ｓ偏光を９０°光路変更する。光路変更されたＳ偏光は隣接の偏光分離膜にて反射されて出射される。一方、偏光分離膜を透過したＰ偏光はその前側（光出射側）に設けてある前記位相差板によってＳ偏光に変換されて出射される。すなわち、ほぼ全ての光はＳ偏光に変換される。勿論、ほぼ全ての光をＰ偏光に変換することもできる。
【００２８】
液晶表示パネル１Ｒ，１Ｂ，１Ｇには図示しないドライバから各色用の液晶駆動信号（映像信号）が供給される。各液晶表示パネル１を透過することで変調された各色映像光は、クロスダイクロイックプリズム２によって合成されてフルカラー映像光となる。このフルカラー映像光は、投写レンズ３によって拡大投写され、図示しないスクリーン上に投影表示される。
【００２９】
前記照明装置５１においては、ＬＥＤ１１はその主光線軸をコリメータレンズ１３の光軸に対して傾けて配置されており、ＬＥＤ１１から出射された光はコリメータレンズ１３の光入射面と光軸とが交わる点を中心とした小領域Ｚに集光される。従って、ＬＥＤ１１を複数設けたとしても、これら複数のＬＥＤ１１は前記小領域Ｚ上に存在する１点の光源（単一光源）と見做すことができ、次段の光学部材（上記の例ではコリメータレンズ１３）の設計が容易になり、高効率で光を伝達することが可能になる。なお、コリメータレンズ１３上の前記小領域Ｚは平面に限るものではない。
【００３０】
図４は投写型映像表示装置４Ｂを示した説明図である。投写型映像表示装置４Ａとの相違点は、４個のＬＥＤ（発光ダイオード）１２…とロッドインテグレータ１６とから成る照明装置５２（５２Ｒ，５２Ｇ，５２Ｂ）を備えている点である。照明装置５２ＲにおけるＬＥＤ１２は赤色光を出射し、照明装置５２ＧにおけるＬＥＤ１２は緑色光を出射し、照明装置５２ＢにおけるＬＥＤ１２は青色光を出射する。
【００３１】
各照明装置５２の各ＬＥＤ１２は、図５にも示しているように、半球レンズカバーを有するＬＥＤチップの光出射側に角度制御レンズ１２ａを備える。前記角度制御レンズ１２ａは、回転対称な形状を有する透明部材から成り、中央部の凸状曲面領域（光出射領域）と、周辺側曲面領域（光出射領域）と、周辺側曲面反射領域と、中央の凹状曲面領域（光入射領域）とから成る。ＬＥＤチップから出射された光のうち、前記周辺側曲面反射領域にて反射された光は、周辺側曲面領域から前方向（光の出射角度制御において予定している方向）に出射される。また、前記ＬＥＤチップから出射された光のうち、中央部の凸状曲面領域に進む光も、前方向（光の出射角度制御において予定している方向）に出射される。なお、角度制御レンズ１２ａは上記のような形状に限るものではなく、他の形状を採用してもよいし、或いは、単なる両凸レンズ或いは片凸レンズ等でもよい。
【００３２】
各照明装置５２における４個のＬＥＤ１２…はその主光線軸をロッドインテグレータ１６の光軸に対して傾けて配置されている。そして、各ＬＥＤ１２から出射された光は、前記角度制御レンズ１２ａにて分散角が制御され、前記ロッドインテグレータ１６の光入射面に導かれる。
【００３３】
ロッドインテグレータ１６に入射した光は、ロッド内面で反射を繰り返し、インテグレートされて出射される。ロッドインテグレータ１６は、その光出射面が光入射面よりも大きいテーパ型となっており、出射光の低分散角化が期待できるものとなっている。勿論、このようなテーパ型に限るものではなく、直方体形状のロッドインテグレータを採用できる。また、ロッドインテグレータ１６は内面が反射面とされた中空構造を有するものでもよいし、透明ガラス等から成る非中空構造を有するものでもよい。また、ロッドインテグレータ１６の光入射面は平面に限らず、曲面形状或いは凹凸形状を有することによって光の取り込み効率を向上させたものでもよい。
【００３４】
偏光変換装置をロッドインテグレータ１６の光出射側に設けてもよい。この場合の偏光変換装置はロッドインテグレータ１６の光出射部の大きさに対応した単一のＰＢＳ（偏光ビームスプリッタ）と、このＰＢＳにおける偏光分離膜に平行に設けられたミラーと、前記ミラー又はＰＢＳの光出射側に設けた位相差板とを備えればよい。ただし、この場合には、偏光変換装置の光出射部の大きさはロッドインテグレータ１６の光出射部の大きさの２倍になる。従って、偏光変換装置の光出射部の全体形状が液晶パネルの縦横比に略一致させるのが望ましい。
【００３５】
なお、以上説明した例では、投写型映像表示装置４Ａ，４Ｂの各照明装置は４個のＬＥＤを有したが、５個以上のＬＥＤを有するもの、或いは、一つのＬＥＤを有するものでもよい。また、複数のＬＥＤの全てが光軸に対して斜めに配置されることに限るものではなく、ＬＥＤの主光線軸が次段の光学部材の光軸と平行に配置されるＬＥＤが存在していてもよいものである。
【００３６】
図６は投写型映像表示装置４Ｃを示した説明図である。この投写型映像表示装置４Ｃは、ロッドインテグレータ１６と、赤色光を出射するＬＥＤ１２Ｒと、緑色光を出射するＬＥＤ１２Ｇと、青色光を出射するＬＥＤ１２Ｂと、を備える。これら３個のＬＥＤ１２Ｒ，１２Ｇ，１２Ｂはその主光線軸をロッドインテグレータ１６の光軸に対して傾けて配置されている。ＬＥＤの個数は上記３個に限るものではなく、ホワイトバランスの観点から個数を調整すればよい。ロッドインテグレータ１６の光出射側には液晶表示パネル１Ｘが設けられる。
【００３７】
液晶表示パネル１Ｘは、ＲＧＢカラーフィルタを備えた構造、或いはＲＧＢカラーフィルタを備えない構造を有する。ＲＧＢカラーフィルタを備える構造の液晶表示パネル１Ｘを用いる場合には、全ＬＥＤ１２Ｒ，１２Ｇ，１２Ｂを同時点灯して白色光を液晶表示パネル１Ｘに導く。前記ＲＧＢカラーフィルタを備えない構造の液晶表示パネルを用いる場合には、各ＬＥＤ１２Ｒ，１２Ｇ，１２Ｂを時分割で点灯させると共に、この点灯のタイミングに同期させて液晶表示パネル１Ｘに各色の映像信号を供給する。
【００３８】
図７は三板式の投写型映像表示装置４Ｄを示した説明図である。この投写型映像表示装置４Ｄは、一例として照明装置５１Ｗを備える。照明装置５１Ｗは照明装置５１においてＬＥＤとして白色光を出射するＬＥＤ１１Ｗを備えたものである。照明装置５１Ｗから出射された白色光は第１ダイクロイックミラー６８へと導かれる。第１ダイクロイックミラー６８は、赤色波長帯域の光を透過し、シアン（緑＋青）の波長帯域の光を反射する。第１ダイクロイックミラー６８を透過した赤色波長帯域の光は、反射ミラー６９にて反射されて光路を変更される。反射ミラー６９にて反射された赤色光はコンデンサレンズ７０を経て赤色光用の透過型の液晶表示パネル８１を透過することによって光変調される。一方、第１ダイクロイックミラー６８にて反射したシアンの波長帯域の光は、第２ダイクロイックミラー７１に導かれる。
【００３９】
第２ダイクロイックミラー７１は、青色波長帯域の光を透過し、緑色波長帯域の光を反射する。第２ダイクロイックミラー７１にて反射した緑色波長帯域の光はコンデンサレンズ７２を経て緑色光用の透過型の液晶表示パネル８２に導かれ、これを透過することによって光変調される。また、第２ダイクロイックミラー７１を透過した青色波長帯域の光は、反射ミラー７４，７６、リレーレンズ７３，７５、及びコンデンサレンズ７７を経て青色光用の透過型の液晶表示パネル８３に導かれ、これを透過することによって光変調される。
【００４０】
各液晶表示パネル８１，８２，８３は、入射側偏光板８１ａ，８２ａ，８３ａと、一対のガラス基板（画素電極や配向膜を形成してある）間に液晶を封入して成るパネル部８１ｂ，８２ｂ，８３ｂと、出射側偏光板８１ｃ，８２ｃ，８３ｃとを備えて成る。液晶表示パネル８１，８２，８３を経ることで変調された変調光（各色映像光）は、クロスダイクロイックプリズム７８によって合成されてカラー映像光となる。このカラー映像光は、投写レンズ７９によって拡大投写され、スクリーン上に投影表示される。
【００４１】
また、例えば、図４に示した各色光を出射する照明装置（５２Ｒ，５２Ｇ，５２Ｂ）を用い、これら照明装置からの色光（赤色光と青色光と緑色光）をクロスダイクロイックプリズム或いはクロスダイクロイックミラーによって同一方向に導く構成の照明装置を採用できる（前記クロスダイクロイックプリズム等の光出射側にロッドインテグレータを設けてもよい）。勿論、各色用の照明装置としてはこの発明の他の照明装置を用いることもできる（例えば、照明装置５１Ｒ，５１Ｇ，５１Ｂを用いる場合は、インテグレータレンズ１４を設けない構成も採用できる）。各色光を同一方向に導く照明装置を用いる投写型映像表示装置で用いられる液晶表示パネルは、ＲＧＢカラーフィルタを備えた構造、或いはＲＧＢカラーフィルタを備えない構造を有する。ＲＧＢカラーフィルタを備える構造の液晶表示パネルを用いる場合には、全照明装置を同時点灯して白色光を液晶表示パネルに導く。前記ＲＧＢカラーフィルタを備えない構造の液晶表示パネルを用いる場合には、各照明装置を時分割で順次に所定時間点灯させると共に、この所定時間点灯のタイミングに同期させて液晶表示パネルに各色の映像信号を供給する。
【００４２】
以上の説明において、投写型映像表示装置は透過型の液晶パネルを用いることとしたが、これに限らず、反射型の液晶パネルを用いてもよいし、これら液晶パネルに替えて、画素となる多数の微小ミラーを個々に駆動するタイプの表示パネルを用いることとしてもよい。また、以上説明した照明装置において、投写レンズに代えて投写用の曲面ミラーを備えてもよい。また、固体発光素子はＬＥＤに限らず、有機或いは無機のＥＬ（エレクトロルミネッセンス）などを用いてもよい。
【図面の簡単な説明】
【００４３】
【図１】この発明の照明装置を備えた三板式の投写型映像表示装置を示した説明図である。
【図２】図１の投写型映像表示装置で用いられている照明装置を示した説明図である。
【図３】図１の投写型映像表示装置で用いられている照明装置のＬＥＤ配置例を示した説明図である。
【図４】この発明の照明装置を備えた三板式の投写型映像表示装置を示した説明図である。
【図５】図４の投写型映像表示装置で用いられている照明装置を示した説明図である。
【図６】この発明の照明装置を備えた単板式の投写型映像表示装置を示した説明図である。
【図７】この発明の照明装置を備えた三板式の投写型映像表示装置を示した説明図である。
【図８】従の照明装置を示した説明図である。
【符号の説明】
【００４４】
２    クロスダイクロイックプリズム
４Ａ，４Ｂ，４Ｃ，４Ｄ    投写型映像表示装置
１１  ＬＥＤ
１１ａ  レンズ
１２  ＬＥＤ
１２ａ  角度制御レンズ
１３  コリメータレンズ
１４  インテグレータレンズ
１６  ロッドインテグレータ
５１  照明装置
５２  照明装置
【図１】
2006267714.tif 000003
【図２】
2006267714.tif 000004
【図３】
2006267714.tif 000005
【図４】
2006267714.tif 000006
【図５】
2006267714.tif 000007
【図６】
2006267714.tif 000008
【図７】
2006267714.tif 000009
【図８】
2006267714.tif 000010